(57)【要約】      （修正有）【課題】室内において、簡易に除塵でき、安価で製造が可能な除塵不織布フィルターを提供する。【解決手段】除塵不織布フィルターは、家庭用扇風機の吸気側羽カバーの形状を有しており、吸気側カバーに両面テープなどで脱着が簡易に装着する。材質が安価な不織布と両面テープなどの安価な素材、せん風機のモーター部に接触しないようにくり抜くなどの簡易な加工、あるいは、簡単な切り取り線の印刷などで、加工が簡易であり、吸気側羽根カバー側に装着することによって簡易な両面テープなどでも接着が可能である。【選択図】図１
0003228756.tif 000002
【実用新案登録請求の範囲】
【請求項１】
不織布を家庭用扇風機用の除塵フイルターとして利用する形状に加工する。
吸気側羽ガードの大きさに合わせて丸くカットすると同時に、扇風機のモーターの部分を丸い形状に切り抜く。装着しやすいように縦に切れ目を入れる形状である。
【請求項２】
不織布を扇風機の羽根ガードの吸気側に両面テープなどで接着部分を作り、吸気の風圧によってはがれにくい形状となる。
【考案の詳細な説明】
【技術分野】
【０００１】      本考案は、不織布を家庭用扇風機に装着することによって、簡易で安価な使い捨ての除塵フイルターとして提供するものである。
【背景技術】
【０００２】  不織布制作の技術が進み、穴（目）の大小などの不織布加工が可能になってきていることから、扇風機のモーターに負荷をかけないで通風性能を確保しながら、室内の浮遊する塵、ペット動物の毛などを絡めとる技術が確保されていると考えられることから可能な考案の形状である。
また、吸気側に装着することによって、接着面も簡易であっても吸気側羽根カバーの風力によって圧着してはずれにくい形状となる。
【先行技術文献】
家庭用扇風機の簡易な不織布製除塵フィルター類については見当たらない。
【考案の概要】
【考案が解決しようとする課題】    通常室内は、塵が浮遊していて、特にペットなどがいると室内の空気は大変汚れていると考えられる。そのため涼しさを求めても、扇風機から吹き付けられる風はかなり汚染されていることが考えられる。高価な集塵機や空気清浄機などに頼ることなく簡易に冷風が求められ、除塵の目的が果たせるものである。効果が高く、使い捨てができて安価である。
【課題を解決するための手段】  本考案は、材質が安価な不織布と両面テープなどの簡易な素材、せん風機のモーター部分の形を切断しくり抜く、簡単な切断などで、加工が簡易であり、装着も吸気側羽根カバー側であることで簡易な両面テープなどでも可能である形状である。
【図面の簡単な説明】  不織布の大きさは、家庭用の扇風機の大きさにおおむね合わせて丸く切断する。
不織布の穴（目）は、モーターに負荷がかからないように粗い物とする。
家庭用の扇風機でも大小あるので必要に応じて、自分で、鋏で裁断できるように、切断線を印刷しておくのもよい。扇風機の羽ガードよりも小さくとも問題はない。
モーター分部を通すところはあらかじめ裁断してくり抜く、切断線を印刷しておく。
扇風機の羽のカバーに接着するように、両面テープなどを貼っておくか、自分で貼れるようにする。
【図１】
0003228756.tif 000003
【図２】
0003228756.tif 000004
【手続補正書】
【提出日】令和2年1月29日(2020.1.29)
【手続補正１】
【補正対象書類名】実用新案登録請求の範囲
【補正対象項目名】全文
【補正方法】変更
【補正の内容】
【実用新案登録請求の範囲】
【請求項１】
家庭用扇風機用の不織布製除塵フイルター。
【請求項２】
家庭用扇風機の吸気側羽カバーに両面テープなどで着脱が簡易な請求項１に記載した除塵不織布フイルター。
【手続補正３】
【補正対象書類名】明細書
【補正対象項目名】全文
【補正方法】変更
【補正の内容】
【考案の詳細な説明】
【技術分野】
【０００１】      本考案は、不織布を家庭用扇風機に装着することによって、簡易で安価な使い捨ての除塵フイルターとして提供するものである。
【背景技術】
【０００２】不織布制作の技術が進み、穴（目）の大小などの不織布加工が可能になってきていることから、目の大小などの不織布加工が可能になってきていることから、扇風機のモーターに負荷をかけないで通風性能を確保しながら、室内の浮遊する塵、ペット動物の毛などを絡めとる技術が確保されていると考えられることから可能な考案の形状である。
また、両面テープなどで吸気側に装着することによって取り外しが簡易である。
【先行技術文献】
【０００３】  家庭用扇風機の簡易な不織布製除塵フイルター類については見当たらない。
【考案の概要】
【考案が解決しようとする課題】
【０００４】    通常室内は、塵が浮遊していて、特にペットなどがいると室内の空気は大変汚れていると考えられる。そのため涼しさを求めても、扇風機から吹き付けられる風はかなり汚染されていることが考えられる。高価な集塵機や空気清浄機などに頼ることなく簡易に冷風が求められ、除塵の目的が果たせるものである。効果が高く、使い捨てができて安価である。
【課題を解決するための手段】
【０００５】  本考案は、材質が安価な不織布と両面テープなどの簡易な素材、せん風機のモーター部分の形を切断しくり抜く、簡単な切断などで、加工が簡易であり、装着も吸気側羽根カバー側であることで簡易な両面テープなどでも可能である形状である。
【図面の簡単な説明】
【０００６】
【図１】  家庭用扇風機に装着する除塵不織布の基本的な形状の平面図
【図２】  家庭用せん風機の吸気側に装着した立体図
【手続補正書】
【提出日】令和2年6月30日(2020.6.30)
【手続補正１】
【補正対象書類名】実用新案登録請求の範囲
【補正対象項目名】全文
【補正方法】変更
【補正の内容】
【実用新案登録請求の範囲】
【請求項１】
吸気側羽カバーの形状を有する家庭用扇風機用の除塵不織布フイルター
【請求項２】
家庭用扇風機の吸気側カバーに両面テープなどで脱着が簡易な請求項１に記載した除塵不織布フイルター。
【手続補正２】
【補正対象書類名】明細書
【補正対象項目名】全文
【補正方法】変更
【補正の内容】
【考案の詳細な説明】
【技術分野】
【０００１】    家庭用扇風機向けの簡易不織布を除塵フイルターとして提供するものである。
【背景技術】
【０００２】不織布の除塵性能を効果的に利用して、両面テープなどで吸気側羽カバーに装着するものである。。
【先行技術文献】
【０００３】    家庭用扇風機の簡易な不織布製除塵フイルター類については見当たらない。
【考案の概要】
【考案が解決しようとする課題】
【０００４】    通常室内は、塵が浮遊していて、特にペットなどがいると室内の空気は大変汚れていると考えられる。そのため涼しさを求めても、扇風機から吹き付けられる風はかなり汚染されていることが考えられる。高価な集塵機や空気清浄機などに頼ることなく簡易に冷風が求められ、除塵の目的が果たせるものである。効果が高く、安価で製造が可能である。
【課題を解決するための手段】
【０００５】本考案は、材質が安価な不織布と両面テープなどの簡易な素材、せん風機のモーター部分の形を切断しくり抜くなどで、加工が簡易であり、装着も吸気側羽根カバー側であることで簡易な両面テープなどでも可能である形状である。
【図面の簡単な説明】
【０００６】
【図１】  家庭用扇風機に装着する除塵不織布の基本的な形状の平面図
【図２】  家庭用せん風機の吸気側に装着した立体図
【手続補正３】
【補正対象書類名】図面
【補正対象項目名】全図
【補正方法】変更
【補正の内容】
【図１】
0003228756.tif 000005
【図２】
0003228756.tif 000006